(57)【特許請求の範囲】
【請求項１】
カードと紙片とを収納するカード、紙片用収納フォルダであって、
裏シートに縦方向の複数の折り線部を介して３つ以上の区画を直列に設け、
一端部の区画をカード収納部とするとともに、残りの複数の区画を紙片収納部とし、
前記カード収納部に、第１の表シートを、開口部となる天辺部を残し残りの辺部を前記裏シートに溶着してカード保持部を形成し、
前記紙片収納部の一端部の区画と他端部の区画に、第２の表シートおよび第３の表シートを、互いに対向する辺部を残し残りの辺部を前記裏シートにそれぞれ溶着して紙片の両端部を収納する紙片一端保持部および紙片他端保持部を形成し、
前記裏シートおよび前記第１〜第３の表シートを、カードおよび紙片の文字が視認可能な透明または半透明な合成樹脂シートにより形成し、
前記カード収納部を内側として前記裏シートを前記折り線部を介して巻き折りし保管、運搬するように構成された
ことを特徴とするカード、紙片用収納フォルダ。
【請求項２】
第１の表シートに、カード保持部に収納されたカードを開口部側に押し引き可能な長穴を形成し、
カード収納部で裏シートの天辺部側に溶着される基部と、前記開口部からカードと前記第１の表シートの間に挿入されてカードの脱落を防止するフラップ部とを有する脱落防止フラップを設けた
ことを特徴とする請求項１記載のカード、紙片用収納フォルダ。
【発明の詳細な説明】
【技術分野】
【０００１】
本発明は、対となるカードと紙片、たとえば運転免許証と交通違反キップとを収納するカード、紙片用収納フォルダに関する。
【背景技術】
【０００２】
たとえば特許文献１には、カードと小冊子やチラシを収納できるカードフォルダが開示されている。
このカードフォルダは、高さの異なる裏シートと仕切りシートと表シートとを、それぞれの両側縁部と地辺部が一致するように三周縁を溶着して、裏シートと仕切りシートの間に小冊子収納部を形成するとともに、仕切りシートと表シートとの間を溶着して左右に区画することにより左右のカード収納部を形成したものである。
【先行技術文献】
【特許文献】
【０００３】
【特許文献１】特開２００９−１７９０４７号公報（図４）
【発明の概要】
【発明が解決しようとする課題】
【０００４】
上記カードフォルダは、全体をコンパクトにでき、透明シートを使用することにより、小冊子部に収められた紙片や、カード収納部に収められたカードを視認することができる。
【０００５】
しかしながら、視認できるのは、紙片の表面または裏面のみ、カードの表面または裏面のみであり、紙片やカードの両面をそれぞれ視認する場合には、紙片やカードを収納部から一旦取り出さないと、表裏を視認できないという問題があった。
【０００６】
本発明は上記問題点を解決して、収納部から取り出すことなく紙片およびカードの両面を視認することができ、コンパクトに収納できるカード、紙片用収納フォルダを提供することを目的とする。
【課題を解決するための手段】
【０００７】
請求項１記載の発明は、カードと紙片とを収納するカード、紙片用収納フォルダであって、
裏シートに縦方向の複数の折り線部を介して３つ以上の区画を直列に設け、
一端部の区画をカード収納部とするとともに、残りの複数の区画を紙片収納部とし、
前記カード収納部に、第１の表シートを、開口部となる天辺部を残し残りの辺部を前記裏シートに溶着してカード保持部を形成し、
前記紙片収納部の一端部の区画と他端部の区画に、第２の表シートおよび第３の表シートを、互いに対向する辺部を残し残りの辺部を前記裏シートにそれぞれ溶着して紙片の両端部を収納する紙片一端保持部および紙片他端保持部を形成し、
前記裏シートおよび前記第１〜第３の表シートを、カードおよび紙片の文字が視認可能な透明または半透明な合成樹脂シートにより形成し、
前記カード収納部を内側として前記裏シートを前記折り線部を介して巻き折りし保管、運搬するように構成されたものである。
【０００８】
請求項２記載の発明は、請求項１記載の構成において、
第１の表シートに、カード保持部に収納されたカードを開口部側に押し引き可能な長穴を形成し、
カード収納部で裏シートの天辺部側に溶着される基部と、前記開口部からカードと前記第１の表シートの間に挿入されてカードの脱落を防止するフラップ部とを有する脱落防止フラップを設けたものである。
【発明の効果】
【０００９】
請求項１記載の発明によれば、裏シートの一端部の区画に形成されたカード収納部と、残りの区画に形成された紙片収納部を直列に配置することにより、カード収納部に収納されたカードの表面および裏面と、紙片収納部に収納された紙片の表面および裏面を、それぞれ保持部から取り出すことなく、視認することができ、使いやすさが向上される。また紙片の両端部を紙片一端保持部と紙片他端保持部に収納するので、区画の数を調整することにより、任意の長さの紙片を収納することができて、設計の自由度が高い。さらに、折り線部を介してカードを包み込むように、紙片収納部を巻き折りすることで、コンパクトに折り畳んで収納性や可搬性を向上させ、さらに外圧からカードを保護することができる。
【００１０】
請求項２記載の発明によれば、脱落防止フラップにより、カード保持部に収納されたカードの抜け落ちを未然に防止することができる。またカードをカード保持部から取り出す時は、脱落防止フラップの地辺部を開口部から離脱させ、長穴から指でカードを開口部に押し上げることで容易に取り出すことができる。
【図面の簡単な説明】
【００１１】
【図１】本発明に係るカード、紙片用収納フォルダの実施例１を示し、使用状態の表面図である。
【図２】（ａ）〜（ｃ）は同収納フォルダの巻き折り手順を示す斜視図で、（ａ）はカード収納部の折り込み状態、（ｂ）はカード収納部と紙片収納部の左紙片ポケットの折り込み状態、（ｃ）は紙片収納部の右紙片ポケットの折り込み状態を示す。
【図３】（ａ）および（ｂ）は同収納フォルダを示し、（ａ）は分解斜視図、（ｂ）は組立斜視図である。
【図４】同収納フォルダへのカードと紙片の挿入手順を示す斜視図である。
【図５】収納フォルダの実施例２を示す使用状態の表面図である。
【図６】収納フォルダの実施例３を示す使用状態の表面図である。
【図７】収納フォルダの実施例４を示す使用状態の表面図である。
【発明を実施するための形態】
【００１２】
［実施例１］
以下、本発明の実施例１を図面に基づいて説明する。
このカード、紙片用収納フォルダ（以下、収納フォルダという）は、図１に示すように、たとえば交通違反者の運転免許証であるカードＣと、単数または複数枚の交通違反キップである帯状の紙片Ｔとを対で収納するためのものである。
【００１３】
この収納フォルダは、収納されたカードＣおよび紙片Ｔの文字が視認できる透明か、または半透明で可撓性（柔軟性）のある合成樹脂シートで形成されている。
図３に示すように、横長の矩形状の裏シート１１が、横幅方向に所定間隔をあけて形成された縦方向の第１〜第３の折り線部１２〜１４により、第１〜第４の区画１５〜１８が区画され、左端部（一端部）の第１の区画１５に、カードＣを収納するカード収納部２１が形成されている。そして、残りの右辺側の第２〜第４区画１６〜１８にわたって、紙片Ｔを収納する紙片収納部３１が形成されている。
【００１４】
（カード収納部）
図１，図３に示すように、カード収納部２１の地辺側から中央上部に、第１の区画１５と同一の横幅で、かつカードＣの横幅より少し大きい第１の表シート２２が裏シート１１に取り付けられて、カードＣを収納可能なカードポケット（カード保持部）２３が形成されている。すなわち、第１の表シート２２は縦長の矩形状で、開口部２２Ｕとなる天辺部を残して、左右側辺部２２Ｒ，２２Ｌと地辺部２２Ｄが、裏シート１１の左右側辺部と地辺部と第１の折り線部１２にそれぞれ熱溶着されている。この第１の表シート２２の中央部には、縦方向に長い長穴２５が形成され、この長穴２５により、開口部２２Ｕからカードポケット２３に挿入されたカードＣを奥側に引き込んだり、カードポケット２３に収納されたカードＣを開口部２２Ｕに押し上げることができる。
【００１５】
またカード収納部２１の天辺部側に、カードポケット２３に収納されたカードＣの脱落を防止する脱落防止フラップ２４が設けられている。この脱落防止フラップ２４は、天辺側で第１の区画１５の裏シート１１に取り付けられる基部２４ａと、地片側で開口部２２Ｕに挿入可能な角丸の矩形で舌片状のフラップ部２４ｂからなり、基部２４ａは、天辺部２４Ｕと左右側辺部２４Ｒ，２４Ｌが、裏シート１１の天辺部、左側辺部の一部および第１の折り線部１２の一部にそれぞれ熱溶着されている。そして脱落防止フラップ２４は、フラップ部２４が１枚でもよいが、カードＣの脱落防止に対する安全性を向上させる目的で、複数枚（２枚以上）の合成樹脂シートが重ねて使用してもよく、また他の樹脂シートに比較して厚みが大きい合成樹脂シートを使用してもよい。
【００１６】
（紙片収納部）
図１，図３に示すように、紙片収納部３１は、左端部（一端部）の第２の区画１６に、紙片Ｔの左端側（紙片上部）を保持する第２の表シート３２が取り付けられて左紙片ポケット（紙片一端保持部）３４が形成されるとともに、右端部（他端部）の第４の区画１８に、紙片Ｔの右端側（紙片下部）を保持する第３の表シート３３が取り付けられて、右紙片ポケット（他端紙片収納部）３５が形成されている。
【００１７】
第２の表シート３２は、第２の区画１６と同一の縦幅で、横幅が少し小さい矩形状に形成され、挿入口３２Ｒとなる右辺部（他端側辺部）を残して、左辺部（一端側辺部）３２Ｌ、天辺部３２Ｕおよび地辺部３２Ｄの３つの辺部が，裏シート１１の第１の折り線部１２、第２の区画１６の天辺部および第２の区画１６の地辺部にそれぞれ熱溶着され、左紙片ポケット３４が形成されている。この左紙片ポケット３４の挿入口３２Ｒは、第２の折り線部１３から左側に切り欠き幅Ｌ１だけ後退した位置に開口され、第２の折り線部１３での紙片Ｔの挿入を容易にしている。カードポケット２３に隣接する左紙片ポケット３４は、その面積を十分に確保することで、カードＣと紙片Ｔとを照らし合わせることができる。たとえば運転免許証であれば、紙片Ｔの交通違反キップ上部に氏名や住所などの重要明細が記載されており、このような氏名や住所などの重要明細を容易かつ正確に照合させることができる。
【００１８】
また第３の表シート３３は、第４の区画１８と同一の縦幅で、横幅が小さい矩形状に形成され、左辺部（一端側辺部）の挿入口３３Ｌを残して右辺部（他端側辺部）３３Ｒ、天辺部３３Ｕおよび地辺部３３Ｄの３つの辺部が，裏シート１１の第４の区画１８の右辺部、天辺部および地辺部にそれぞれ熱溶着されて、右紙片ポケット３５が形成されている。この右紙片ポケット３５の挿入口３３Ｌは、第３の折り線部１４から右側に切り欠き幅Ｌ２だけ後退した位置に開口され、第３の折り線部１４での紙片Ｔの挿入を容易にしている。
【００１９】
したがって、紙片Ｃの左辺部（一端部）を挿入口３２Ｒから左紙片ポケット３４に挿入して保持させるとともに、紙片Ｃの右辺部（他端部）を挿入口３３Ｌから右紙片ポケット３５に挿入して保持させ、紙片Ｃを紙片収納部３１に収納することができる。なお、第３の区画部１７は裏シート１１のみで構成され、紙片Ｃの中間部背面に対面する中間接続部３６となる。この中間接続部３６に対面する紙片の表面には、収納したまま、筆記や捺印などの作業が可能となる。
【００２０】
裏シート１１の天辺部、地辺部および左右の側辺部は、第１〜第３表シート２２，３２，３３の加圧、熱溶着と同時にそれぞれ角アールとなる切断を行い、切断端面を角丸に形成している。これにより、皮膚に対する感触を向上させ、目に当たった場合のけがなどを防止するとともに、割れに対する強度も向上させている。
【００２１】
第１〜第３の折り線部１２〜１４は、溶着切断後に、折り曲げ幅に相当する加圧片を加熱して当て付けることにより、平行な２本線が視認できる凹溝状に形成される。
（使用状態）
図４に示すように、この収納フォルダの使用に際し、脱落防止フラップ２４のフラップ部２４ｂを持ち上げて、カードＣを開口部２２Ｕからカードポケット２３に挿入し、カードＣの全体をカードポケット２３内に入れる。そして２枚のフラップ部２４ｂを、開口部２２Ｕからカードポケット２３内のカードＣと第１の表シート２２の間に挿入して、カードＣがカードポケット２３から脱落するのを防止する。
【００２２】
また紙片Ｃは、その左端部を挿入口３２Ｒから左紙片ポケット３４に挿入して保持させ、さらに紙片Ｃの右端部を挿入口３３Ｌから右紙片ポケット３５に挿入して保持させる。これにより、帯状の紙片Ｃを紙片収納部３１に容易に収納できる。
【００２３】
さらに、図２に示すように、この収納フォルダの運搬や保管に際して、カード収納部２１を巻き込むように紙片収納部３１を第１〜第３折り線部１２〜１４を介して巻き折りする。これにより、カードポケット２３に収納されたカードＣを、紙片収納部３１と紙片Ｃとで保護する。
【００２４】
（実施例の効果）
上記実施例によれば、裏シート１１の左端部の第１の区画１５に形成されたカード収納部２１と、残りの第２〜第４の区画１６〜１８にわたって形成された紙片収納部３１を、直列に連結配置したので、カード収納部２１に収納されたカードＣと、紙片収納部３１に収納された紙片Ｔとを、それぞれのポケット２３，３４，３５から取り出すことなく、表および裏を視認することができ、収納フォルダの取り扱い性を向上させることができる。また紙片Ｔの両端部を左紙片ポケット３４と右紙片ポケット３５に保持して収納するので、帯状の紙片Ｔを容易に収納することができる。また中間接続部３６の紙片Ｔの中間部が露出されることから、紙片Ｔへの捺印や記入などの作業が可能となる。
【００２５】
また紙片収納部３１は、第２〜第４の区画１６〜１８の数を調整することにより、任意の長さの紙片Ｔを収納することができて、設計の自由度が高い。
さらにカード収納部２１のカードＣを包み込むように、第１〜第３の折り線部１２〜１４を介して紙片収納部３１の第２〜第４の区画１６〜１８を巻き折りすることで、外圧からカードＣを保護することができる。
【００２６】
さらにまたカード収納部２１のカードポケット２３の開口部２２Ｕに、脱落防止フラップ２４を設けたので、カードポケット２３に収納されたカードＣの抜け落ちを確実に防止することができる。
【００２７】
またカードポケット２３を形成する第１の表シート２２に、長穴２５を形成したので、カードＣをカードポケット２３に挿入する場合や、カードＣをカードポケット２３から取り出す時に、指を長穴２５を介してカードＣの表面に押し当ててスライドさせることができ、カードＣのカードポケット２３への挿入、離脱を容易かつ確実に行うことができる。
【００２８】
（他の実施例）
なお、紙片収納部３１において、中間接続部１６の数を増減することにより、長さの異なる帯状の紙片Ｔを収容することができる。たとえば紙片Ｔが長い場合には、図５に示す実施例２のように、左右紙片ポケット３４，３５を有する２つの中間接続部３６Ａ，３６Ｂを２つ設ければよい。紙片Ｔが短い場合には、図６に示す実施例３のように、中間接続部である第３の区画１７をなくして、左右紙片ポケット３４，３５のみを設ければよい。この場合には、紙片の挿入が容易なように、右紙片ポケット３５の切り欠き幅Ｌ３を大きくしている。
【００２９】
また、上記実施例１では、裏シート１１の左辺部にカード収納部２１を設けたが、図７の実施例４に示すように、右辺部にカード収納部２１を設けても、実施例１と同様の作用効果を奏することができる。ここでは、カード収納部２１に隣接して切り欠き幅Ｌ１の小さい右紙片ポケット４４を設け、反対側に切り欠き幅Ｌ２の大きい右紙片ポケット４５を設けることで、カードＣと紙片Ｔとの照合を容易かつ正確に行うことができる。
【符号の説明】
【００３０】
Ｃ    カード
Ｔ    紙片
１１    裏シート
１２    第１の折り線部
１３    第２の折り線部
１４    第３の折り線部
１５    第１の区画
１６    第２の区画
１７  第３の区画
１８    第４の区画
２１    カード収納部
２２    第１の表シート
２２Ｕ  開口部
２３    カードポケット（カード保持部）
２４    脱落防止フラップ
２４ａ  基部
２４ｂ  フラップ
２５    長穴
３１    紙片収納部
３２    第２の表シート
３２Ｒ  挿入口
３３    第３の表シート
３３Ｌ  挿入口
３４，４４  左紙片ポケット（紙片一端保持部）
３５，４５  右紙片ポケット（紙片他端保持部）
３６（３６Ａ，３６Ｂ）  中間連結部
【図１】
0005557673.tif 000002
【図２】
0005557673.tif 000003
【図３】
0005557673.tif 000004
【図４】
0005557673.tif 000005
【図５】
0005557673.tif 000006
【図６】
0005557673.tif 000007
【図７】
0005557673.tif 000008